(57)【要約】【課題】Ｕ文字状に折り畳んで收納することができる休憩用枕を提供する。【解決手段】脹らみ且つ柔軟で回復弾性の良い軟性材質により作製され、中間に、頭部と頚部を支持するための円弧状の突起部が設けられ、当該突起部の両側と後端に、手を支持するための平台が設けられる掛け枕と、当該掛け枕の底部に貼り付けられ、上に若干の係合素子がある上層板と、上に、当該上層板の係合素子と係合するための若干の係合素子があり、中間に二つの折り凹み部が設けられる底層板と、が含有される。【選択図】図２
0003127737.tif 000002
【実用新案登録請求の範囲】
【請求項１】
脹らみ且つ柔軟で回復弾性の良い軟性材質により作製され、中間に、頭部と頚部を支持するための円弧状の突起部が設けられ、当該突起部の両側と後端に、手を支持するための平台が設けられる掛け枕と、
当該掛け枕の底部に貼り付けられ、上に若干の係合素子がある上層板と、
上に、当該上層板の係合素子と係合するための若干の係合素子があり、中間に二つの折り凹み部が設けられる底層板と、
が含有され、
Ｕ文字状に折り畳んで收納することができる、
ことを特徴とする休憩用枕。
【請求項２】
当該掛け枕が、軟質のプラスチック（ゴム）材質から作製されることを特徴とする請求項１に記載の休憩用枕。
【請求項３】
当該掛け枕が、発泡体から作製されることを特徴とする請求項１に記載の休憩用枕。
【請求項４】
当該掛け枕が、ラテックス材質から作製されることを特徴とする請求項１に記載の休憩用枕。
【請求項５】
当該上層板と底層板の係合素子が、係合突出と係合槽であることを特徴とする請求項１に記載の休憩用枕。
【請求項６】
当該上層板と底層板の係合素子が、磁石であることを特徴とする請求項１に記載の休憩用枕。
【請求項７】
当該上層板と底層板の係合素子が、マジックテープ（登録商標）であることを特徴とする請求項１に記載の休憩用枕。
【請求項８】
当該上層板と底層板の係合素子が、雄雌係合部品であることを特徴とする請求項１に記載の休憩用枕。
【請求項９】
当該底層板の両端の外側において、対応する位置に、それぞれ、互いに係合できる係合素子が設けられることを特徴とする請求項１に記載の休憩用枕。
【請求項１０】
当該係合素子が、磁石であることを特徴とする請求項９に記載の休憩用枕。
【請求項１１】
当該係合素子が、雄雌係合部品であることを特徴とする請求項９に記載の休憩用枕。
【請求項１２】
当該係合素子が、係合部品と掛け止め紐であることを特徴とする請求項９に記載の休憩用枕。
【請求項１３】
当該係合素子が、マジックテープ（登録商標）であることを特徴とする請求項１に記載の休憩用枕。
【請求項１４】
当該底層板と上層板と掛け枕が折り畳まれて箱に収納されることを特徴とする請求項１に記載の休憩用枕。
【請求項１５】
当該底層板と上層板との間に、更に間隔板が設けられることを特徴とする請求項１に記載の休憩用枕。
【請求項１６】
当該間隔板が、軟質のプラスチック（ゴム）材質から作製されることを特徴とする請求項１５に記載の休憩用枕。
【請求項１７】
当該間隔板が、発泡体から作製されることを特徴とする請求項１５に記載の休憩用枕。
【請求項１８】
当該間隔板が、ラテックス材質から作製されることを特徴とする請求項１５に記載の休憩用枕。
【考案の詳細な説明】
【技術分野】
【０００１】
本考案は、休憩用枕に関し、特に、頭部と頚部及び手が、快適に支持されて麻痺しなく、收納に容易でき保管空間を取らないものに関する。
【背景技術】
【０００２】
「休憩により、より遠い道を歩くためである」ため、サラリーマンや生徒等は、机の上で昼寝や一時的に休憩することがあり、また、昼寝や休憩の姿勢は、次のようである。
【０００３】
手を枕として、頭部を手の上に寄り掛かる姿勢があるが、このような姿勢である場合、手や顔が、麻痺することがあり、そして、頭部や肩、頚椎或いは手等が疲れて痛む恐れがある。
【０００４】
昼寝のための枕や抱き枕を枕として、頭を寄掛かって寝る場合、昼寝のための枕や抱き枕の体積が比較的に小さく、また、手が支持されず、机の上に放置されて肘が、机の表面と摩擦するため、頭部や頚部及び手が、痺れてしまい、また、昼寝のための枕や抱き枕は、サラリーマンや生徒にとって、收納することが、便利ではない。
【０００５】
また、図１のような支持スタント付きの掛け枕を使用する場合、支持スタント１により、掛け枕２が高くなり、また、適当な角度になるが、手が支持されていなく、また、支持スタント１と掛け枕２とを收納することが容易ではないため、実用的ではない。
【考案の開示】
【考案が解決しようとする課題】
【０００６】
本考案の主な目的は、頭部と頚部及び手が、快適に支持されて、痺れることがなくて、より良い休憩が得られる休憩用枕を提供する。
【０００７】
本考案の他の目的は、容易に收納でき、保管空間が取らない休憩用枕を提供する。
【課題を解決するための手段】
【０００８】
請求項１の考案は、脹らみ且つ柔軟で回復弾性の良い軟性材質により作製され、中間に、頭部と頚部を支持するための円弧状の突起部が設けられ、当該突起部の両側と後端に、手を支持するための平台が設けられる掛け枕と、当該掛け枕の底部に貼り付けられ、上に若干の係合素子がある上層板と、上に、当該上層板の係合素子と係合するための若干の係合素子があり、中間に二つの折り凹み部が設けられる底層板と、が含有され、Ｕ文字状に折り畳んで收納することができることを特徴とする休憩用枕である。
【０００９】
請求項２の考案は、当該掛け枕が、軟質のプラスチック（ゴム）材質から作製されることを特徴とする請求項１に記載の休憩用枕である。
【００１０】
請求項３の考案は、当該掛け枕が、発泡体から作製されることを特徴とする請求項１に記載の休憩用枕である。
【００１１】
請求項４の考案は、当該掛け枕が、ラテックス材質から作製されることを特徴とする請求項１に記載の休憩用枕である。
【００１２】
請求項５の考案は、当該上層板と底層板の係合素子が、係合突出と係合槽であることを特徴とする請求項１に記載の休憩用枕である。
【００１３】
請求項６の考案は、当該上層板と底層板の係合素子が、磁石であることを特徴とする請求項１に記載の休憩用枕である。
【００１４】
請求項７の考案は、当該上層板と底層板の係合素子が、マジックテープ（登録商標）であることを特徴とする請求項１に記載の休憩用枕である。
【００１５】
請求項８の考案は、当該上層板と底層板の係合素子が、雄雌係合部品であることを特徴とする請求項１に記載の休憩用枕である。
【００１６】
請求項９の考案は、当該底層板の両端の外側において、対応する位置に、それぞれ、互いに係合できる係合素子が設けられることを特徴とする請求項１に記載の休憩用枕である。
【００１７】
請求項１０の考案は、当該係合素子が、雄雌係合部品であることを特徴とする請求項９に記載の休憩用枕である。
【００１８】
請求項１１の考案は、当該係合素子が、係合部品と掛け止め紐であることを特徴とする請求項９に記載の休憩用枕である。
【００１９】
請求項１２の考案は、当該底層板と上層板と掛け枕が折り畳まれて箱に収納されることを特徴とする請求項１に記載の休憩用枕である。
【００２０】
請求項１３の考案は、当該底層板と上層板との間に、更に間隔板が設けられることを特徴とする請求項１に記載の休憩用枕である。
【考案を実施するための最良の形態】
【００２１】
本考案は、図２と３のように、掛け枕３と上層板４及び底層板５が含有され、当該掛け枕３は、脹らみ且つ柔軟で、回復弾性の良い軟性材質により一体成型され、例えば、軟質のプラスチック（ゴム）や発泡体或いはラテックス材質等であり、その中間に、円弧状の突起部３１が設けられ、当該突起部３１の両側と後端に、更に、平台３２があり、上層板４と底層板５とが、プラスチック材質で一体成型され、例えば、ＡＢＳやＰＰ或いはＰＥ等であり、或いは、より厚い紙板の外にプラスチック皮革や合成皮革を被覆するノートブックの形態であり、両者の間に、若干の互いに係合できる係合素子があり、係合素子は、図４のように、弾性係合槽４１と係合突出５１からなり、当該上層板４は、掛け枕３の底部に粘着され、底層板５の中間に、二つの折り凹み部５２があり、当該折り凹み部により、Ｕ文字状や書類挟みに折り畳むことができる。
【００２２】
上記のような構造を組立てると、図３のように、底層板３と上層板４とは、掛け枕の平台３２の底部に設けられ、これにより、平らに机の上のような平面に放置でき、昼寝や休憩の時、頭部を、掛け枕の突起部３１の上に寄掛かり、図５のように、掛け枕５の脹らみと柔軟の特性を利用して、頭部と頚部が快適に支持され、また、手が、９０度に湾曲して平らに掛け枕の平台３２上に放置でき、肘が、快適に支持され、そのため、より快適な休憩姿勢が取られ、この時、頚椎が手より高く、肘が快適に支持されるため、頭部や頚部、手及び顔が、麻痺しなくて、より十分且つ良い休憩が得られる。
【００２３】
具体的に言えば、本考案に係わる掛け枕３は、人間工学設計により、頭部や頚部及び手が、より良い快適に支持され、そのため、休憩の時、麻痺などのことなく、精神体力がすっきりとなる。
【００２４】
使用しない時、底層板の折り凹み部５２により、上層板４と掛け枕３を書類挟みの形態（即ち、Ｕ文字状）に折り畳むことができ、そして、図６のように、箱６に収納でき、また、机の上にある本棚に、或いは、書類棚に収納でき、また、引出し内に収納できるため、收納が容易で、保管空間を節約できる。
【００２５】
本考案は、更に、底層板５の両端の外側において、対応する位置に、互いに係合できる係合素子を設け、例えば、図７のような磁石６１や図８のような雄雌係合部品６２、６３、図９のような係合部品６４と掛け止め紐６５或いは図１０のマジックテープ（登録商標）６６等であり、これにより、底層板５と上層板４により掛け枕３が折り畳まれて固定され、そして、机の上や書類棚或いは引出しに收納されることができる。
【００２６】
また、図１１と１２のように、本考案は、更に、上層板４’と底層板５’との間に、間隔板７が設けられても良く、当該間隔板７は、掛け枕３’と同じ、脹らみ且つ柔軟で、回復弾性の良い軟性材質により一体成型され、例えば、軟質のプラスチック（ゴム）や発泡体或いはラテックス材質等であり、その上に、底層板５’の係合素子が通すための若干の貫通孔７１が設けられ、これにより、本考案は、必要に応じて高さを調整でき、また、平台３２’上に放置された手が、より快適になる。
【００２７】
また、図１３のように、本考案は、上層板と底層板に設けられた係合素子が、若干の互いに吸引して係合する磁石４３、５３や図１４のマジックテープ（登録商標）４４、５４或いは雄雌係合部品等であってもよく、これにより、上層板と底層板が互いに係合できる。
【００２８】
また、本考案に係わる掛け枕は、エアを吹く方式により形成されてもよく、これにより、脹らみ且つ柔軟で回復弾性が良い特性が得られ、また、その外側に布カバーを被覆しても良く、これにより、汚染から掛け枕を保護できるだけでなく、布カバーを外して清潔することが容易であり、そして、布カバーの底部に、更にマジックテープ（登録商標）が設けられて、底層板のマジックテープ（登録商標）に係合することにより、上層板を省略しても良い。
【００２９】
以上から分かるように、本考案は、次の利点と効果が得られる。
【００３０】
掛け枕３は、人間工学設計で、そして、脹らみ且つ柔軟で回復弾性の良い特性を有するため、頭部や頚部が、より良い支持が得られ、麻痺することがない。
【００３１】
手が、平らに掛け枕の平台３２に放置されるため、肘が快適に支持されて、麻痺することがない。
【００３２】
頭部を、掛け枕の突起部３１の上に寄掛かって休憩する時、頚椎が手より高いため、より良い休憩姿勢になって、より良い休憩状態が得られる。
【００３３】
收納が容易で、保管空間が取らないため、サラリーマンや生徒等に最適である。
【図面の簡単な説明】
【００３４】
【図１】従来の休憩用枕の立体図
【図２】本考案の第１の実施例の立体分解図
【図３】本考案の第１の実施例の立体図
【図４】本考案の第１の実施例の組立て断面図
【図５】本考案を使用する時の参考概念図
【図６】本考案を收納する時の立体分解図
【図７】本考案の底層板の係合素子の実施例の１
【図８】本考案の底層板の係合素子の実施例の２
【図９】本考案の底層板の係合素子の実施例の３
【図１０】本考案の底層板の係合素子の実施例の４
【図１１】本考案の第２の実施例の立体分解図
【図１２】本考案の第２の実施例の立体図
【図１３】本考案の上層板と底層板の係合素子の実施例の１
【図１４】本考案の上層板と底層板の係合素子の実施例の２
【符号の説明】
【００３５】
従来
１                支持スタント
２                掛け枕
本考案
３、３’          掛け枕
３１、３１’      突起部
３２、３２’      平台
４、４’          上層板
４１              係合槽
４３、５３、６１  磁石
４４、５４、６６  マジックテープ（登録商標）
５、５’          底層板
５１              係合突出
５２              折り畳み部
６                箱
６２              雄係合部品
６３              雌係合部品
６４              係合部品
６５              掛け止め紐
７                間隔板
７１              貫通孔
【図１】
0003127737.tif 000003
【図２】
0003127737.tif 000004
【図３】
0003127737.tif 000005
【図４】
0003127737.tif 000006
【図５】
0003127737.tif 000007
【図６】
0003127737.tif 000008
【図７】
0003127737.tif 000009
【図８】
0003127737.tif 000010
【図９】
0003127737.tif 000011
【図１０】
0003127737.tif 000012
【図１１】
0003127737.tif 000013
【図１２】
0003127737.tif 000014
【図１３】
0003127737.tif 000015
【図１４】
0003127737.tif 000016
【手続補正書】
【提出日】平成18年10月6日(2006.10.6)
【手続補正１】
【補正対象書類名】実用新案登録請求の範囲
【補正対象項目名】請求項２
【補正方法】変更
【補正の内容】
【請求項２】
当該掛け枕が、軟質のプラスチックまたはゴムの材質から作製されることを特徴とする請求項１に記載の休憩用枕。
【手続補正２】
【補正対象書類名】実用新案登録請求の範囲
【補正対象項目名】請求項１６
【補正方法】変更
【補正の内容】
【請求項１６】
当該間隔板が、軟質のプラスチックまたはゴムの材質から作製されることを特徴とする請求項１５に記載の休憩用枕。
【手続補正３】
【補正対象書類名】明細書
【補正対象項目名】０００９
【補正方法】変更
【補正の内容】
【０００９】
請求項２の考案は、当該掛け枕が、軟質のプラスチックまたはゴムの材質から作製されることを特徴とする請求項１に記載の休憩用枕である。
【手続補正４】
【補正対象書類名】明細書
【補正対象項目名】００２１
【補正方法】変更
【補正の内容】
【００２１】
本考案は、図２と３のように、掛け枕３と上層板４及び底層板５が含有され、当該掛け枕３は、脹らみ且つ柔軟で、回復弾性の良い軟性材質により一体成型され、例えば、軟質のプラスチックまたはゴム、発泡体或いはラテックス材質等であり、その中間に、円弧状の突起部３１が設けられ、当該突起部３１の両側と後端に、更に、平台３２があり、上層板４と底層板５とが、プラスチック材質で一体成型され、例えば、ＡＢＳやＰＰ或いはＰＥ等であり、或いは、より厚い紙板の外にプラスチック皮革や合成皮革を被覆するノートブックの形態であり、両者の間に、若干の互いに係合できる係合素子があり、係合素子は、図４のように、弾性係合槽４１と係合突出５１からなり、当該上層板４は、掛け枕３の底部に粘着され、底層板５の中間に、二つの折り凹み部５２があり、当該折り凹み部により、Ｕ文字状や書類挟みに折り畳むことができる。
【手続補正５】
【補正対象書類名】明細書
【補正対象項目名】００２６
【補正方法】変更
【補正の内容】
【００２６】
また、図１１と１２のように、本考案は、更に、上層板４’と底層板５’との間に、間隔板７が設けられても良く、当該間隔板７は、掛け枕３’と同じ、脹らみ且つ柔軟で、回復弾性の良い軟性材質により一体成型され、例えば、軟質のプラスチックまたはゴム、発泡体或いはラテックス材質等であり、その上に、底層板５’の係合素子が通すための若干の貫通孔７１が設けられ、これにより、本考案は、必要に応じて高さを調整でき、また、平台３２’上に放置された手が、より快適になる。